(57)【要約】【課題】放射線変換パネルの撮影面を放射線源側となるように確実に配置し、撮影作業を効率的に行う。【解決手段】放射線検出カセッテ２４のケーシング３６には、患者１４に臨む第１平板部３８と手術台１６に臨む第２平板部４０に温度検出部５８を構成する第１及び第２検出部６０、６２がそれぞれ設けられる。そして、放射線検出カセッテ２４が患者１４と手術台１６との間に設置された際、第１平板部３８又は第２平板部４０のいずれか一方が患者１４の体温によって加温され、その温度をそれぞれ検出して比較することにより、前記放射線検出カセッテ２４の照射面４４が前記撮影装置２２側に設置されているか否かが確認される。【選択図】図５
2009028332.tif 000002
【特許請求の範囲】
【請求項１】
放射線源から照射され被写体を透過した放射線を検出し、放射線画像情報に変換可能な放射線変換パネルが収容された筐体と、
前記筐体に設けられ、前記放射線源及び被写体に臨む第１面及び前記放射線変換パネルを挟んで前記第１面とは反対側となる第２面の少なくともいずれか一方に設けられ、前記筐体の表面温度を検出可能な温度検出手段と、
を備えることを特徴とするカセッテ。
【請求項２】
請求項１記載のカセッテにおいて、
前記温度検出手段は、前記筐体の第１面及び第２面の少なくともいずれか一方に設けられる複数の検出センサからなり、前記検出センサが前記第１面及び第２面において互いに所定間隔離間して配置されることを特徴とするカセッテ。
【請求項３】
請求項１又は２記載のカセッテにおいて、
前記温度検出手段は、前記筐体の赤外線エネルギーを検出可能な赤外線センサからなることを特徴とするカセッテ。
【請求項４】
放射線を照射可能な放射線源を有する撮影部と、
被写体を間にして前記撮影部と対峙する位置に設置され、前記放射線源から照射され前記被写体を透過した放射線を検出し、放射線画像情報に変換する放射線変換パネルを有するカセッテと、
前記カセッテに設けられ、前記撮影部及び被写体に臨む第１面及び前記放射線変換パネルを挟んで前記第１面とは反対側となる第２面の少なくともいずれか一方に設けられ、前記筐体の表面温度を検出可能な温度検出手段と、
前記温度検出手段よる検出結果に基づいて前記放射線変換パネルの撮影面が前記撮影部側に配置されているか否かを判定する判定手段と、
を備えることを特徴とする放射線画像撮影システム。
【請求項５】
請求項４記載のシステムにおいて、
前記温度検出手段による検出結果に基づき、前記放射線変換パネルの撮影面が前記撮影部側に配置されていない場合に警告を行う警告手段を備えることを特徴とする放射線画像撮影システム。
【発明の詳細な説明】
【技術分野】
【０００１】
本発明は、被写体を透過した放射線を検出し、放射線画像情報に変換する放射線変換パネルを備えたカセッテ及び該カセッテを有する放射線画像撮影システムに関する。
【背景技術】
【０００２】
医療分野において、被写体に放射線を照射し、被写体を透過した放射線を放射線変換パネルに導いて放射線画像を撮影する放射線画像撮影装置が広汎に使用されている。この場合、放射線変換パネルとしては、放射線画像が露光記録される従来からの放射線フイルムや、蛍光体に放射線画像としての放射線エネルギを蓄積し、励起光を照射することで放射線画像を輝尽発光光として取り出すことのできる蓄積性蛍光体パネルが知られている。これらの放射線変換パネルは、放射線画像が記録された放射線フイルムを現像装置に供給して現像処理を行い、あるいは、蓄積性蛍光体パネルを読取装置に供給して読取処理を行うことで、可視画像としての放射線画像が得られる。
【０００３】
一方、手術室等においては、患者に対して迅速且つ的確な処置を施すため、撮影後の放射線変換パネルから直ちに放射線画像を読み出して表示できることが必要である。このような要求に対応可能な放射線変換パネルとして、放射線を直接電気信号に変換し、あるいは、放射線をシンチレータで可視光に変換した後、電気信号に変換して読み出す固体検出素子を用いた放射線検出器が開発されている。
【０００４】
このような放射線変換パネルは、無線通信手段及びバッテリと共にカセッテに収容され、前記放射線変換パネルの撮影面に対峙した放射線源からＸ線を照射している（例えば、特許文献１参照）。
【０００５】
【特許文献１】特開２００３−１７２７８３号公報
【発明の開示】
【発明が解決しようとする課題】
【０００６】
ところで、特許文献１に係る従来技術においては、放射線変換パネルの撮影面を、放射線源及び患者側に臨むように配置する必要がある。しかしながら、このようなカセッテは、一般的に、薄型箱状に形成されているため、その表裏が判断しにくく、撮影面を放射線源と反対側になるように誤って設置してしまう懸念がある。この状態で放射線画像の撮影が行われた場合には、放射線変換パネルに放射線画像が撮影されず、再度、カセッテを所定向きに設置し直して撮影作業を行う必要があり、その設置作業が煩雑であると共に、作業効率が低下してしまうという問題がある。
【０００７】
本発明は、前記の課題を考慮してなされたものであり、放射線変換パネルの撮影面を放射線源側となるように確実に配置し、撮影作業を効率的に行うことが可能なカセッテ及び放射線画像撮影システムを提供することを目的とする。
【課題を解決するための手段】
【０００８】
前記の目的を達成するために、本発明は、放射線源から照射され被写体を透過した放射線を検出し、放射線画像情報に変換可能な放射線変換パネルが収容された筐体と、
前記筐体に設けられ、前記放射線源及び被写体に臨む第１面及び前記放射線変換パネルを挟んで前記第１面とは反対側となる第２面の少なくともいずれか一方に設けられ、前記筐体の表面温度を検出可能な温度検出手段と、
を備えることを特徴とする。
【０００９】
また、本発明は、放射線を照射可能な放射線源を有する撮影部と、
被写体を間にして前記撮影部と対峙する位置に設置され、前記放射線源から照射され前記被写体を透過した放射線を検出し、放射線画像情報に変換する放射線変換パネルを有するカセッテと、
前記カセッテに設けられ、前記撮影部及び被写体に臨む第１面及び前記放射線変換パネルを挟んで前記第１面とは反対側となる第２面の少なくともいずれか一方に設けられ、前記筐体の表面温度を検出可能な温度検出手段と、
前記温度検出手段よる検出結果に基づいて前記放射線変換パネルの撮影面が前記撮影部側に配置されているか否かを判定する判定手段と、
を備えることを特徴とする。
【発明の効果】
【００１０】
本発明によれば、カセッテを構成する筐体は、放射線源及び被写体に臨む第１面及び前記放射線変換パネルを挟んで前記第１面とは反対側となる第２面を有し、前記第１及び第２面の少なくともいずれか一方の表面温度を温度検出手段によって検出することにより、前記被写体に臨む面の表面温度が該被写体の体温によって上昇するため、その検出結果に基づいて筐体における第１及び第２面のいずれの面が放射線源側となるように配置されているか事前に察知することができる。従って、放射線変換パネルの撮影面が放射線源側となるように確実に配置し、誤撮影を防止して撮影作業を効率的に行うことができると共に、常に適切な放射線画像を得ることが可能となる。
【発明を実施するための最良の形態】
【００１１】
図１は、本実施の形態に係るカセッテが用いられた放射線画像撮影システム１０が設置された手術室１２の説明図である。手術室１２には、放射線画像撮影システム１０に加えて、患者（被写体）１４が横臥する手術台１６が配置されると共に、医師１８が手術に使用する各種器具が載置される器具台２０が手術台１６の側部に配置される。また、手術台１６には、麻酔器、吸引器、心電計、血圧計等、手術に必要な様々な機器が配置される。
【００１２】
放射線画像撮影システム１０は、撮影条件に従った線量からなる放射線Ｘを患者１４に照射する撮影装置（撮影部）２２と、患者１４を透過した放射線Ｘを検出する放射線検出器（放射線変換パネル）４８（後述する）を内蔵した放射線検出カセッテ（カセッテ）２４と、放射線検出器４８によって検出された放射線Ｘに基づく放射線画像を表示する表示装置２６と、前記撮影装置２２、放射線検出カセッテ２４及び表示装置２６を制御するコンソール２８とを備える。この撮影装置２２、放射線検出カセッテ２４、表示装置２６及びコンソール２８間では、無線通信による信号の送受信が行われる。
【００１３】
撮影装置２２は、複数の自在アーム３２によって移動自在に設けられ、患者１４の撮影部位に応じた所望の位置に移動可能であると共に、医師１８による手術の邪魔とならない位置に待避可能である。同様に、表示装置２６は、自在アーム３４に連結され、撮影された放射線画像を医師１８が容易に確認できる位置に移動可能である。
【００１４】
図２〜図４は、放射線検出カセッテ２４の外観及び内部構成を示す図である。
【００１５】
放射線検出カセッテ２４は、放射線Ｘを透過させる材料からなるケーシング（筐体）３６を備える。このケーシング３６は、略長方形状で所定間隔離間した一組の第１及び第２平板部３８、４０と、前記第１平板部３８と第２平板部４０とを接続し、その四方を取り囲むように略直交した４つの壁部４２ａ〜４２ｄとから構成される。なお、ケーシング３６は、第１平板部（第１面）３８が撮影装置２２に臨み、第２平板部（第２面）４０が手術台１６に臨むように配置される（図５参照）。
【００１６】
この放射線検出カセッテ２４の内部には、放射線Ｘが照射されるケーシング３６の照射面４４側から、患者１４による放射線Ｘの散乱線を除去するグリッド４６、患者１４を透過した放射線Ｘを検出する放射線検出器４８、及び、前記放射線Ｘのバック散乱線を吸収する鉛板５０が順に配設される。なお、ケーシング３６の照射面４４をグリッドとして構成してもよい。
【００１７】
また、ケーシング３６の内部には、放射線検出カセッテ２４の電源であるバッテリ５２と、前記バッテリ５２から供給される電力により放射線検出器４８を駆動制御するカセッテ制御部５４と、前記放射線検出器４８によって検出した放射線Ｘの情報を含む信号をコンソール２８との間で送受信する送受信機５６と、前記ケーシング３６の表面温度を検出可能な温度検出部（温度検出手段）５８が収容される。
【００１８】
温度検出部５８は、例えば、熱電対、赤外線センサ等からなり、照射面４４を有するケーシング３６の第１平板部３８に設けられる第１検出部６０と、前記照射面４４とは反対側となるケーシング３６の第２平板部４０に設けられる第２検出部６２とから構成される（図２及び図４参照）。
【００１９】
第１検出部６０は、複数（例えば、８個）のセンサプレート（検出センサ）６４からなり、ケーシング３６において対向した壁部４２ａ、４２ｃ近傍となる第１平板部３８の内壁面に設けられると共に、壁部４２ｂ、４２ｃ近傍となる第１平板部３８の内壁面に設けられる。そして、各センサプレート６４が装着された第１平板部３８における各部位の表面温度を検出可能に設けられる。
【００２０】
第２検出部６２は、第１検出部６０と同様に複数（例えば、８個）のセンサプレート（検出センサ）６６からなり、ケーシング３６において対向した壁部４２ａ、４２ｃ近傍となる第２平板部４０の内壁面に設けられると共に、壁部４２ｂ、４２ｃ近傍となる第１平板部３８の内壁面に設けられる。そして、各センサプレート６６が装着された第２平板部４０における各部位の表面温度を検出可能に設けられる。また、センサプレート６４、６６は、図３に示されるように、少なくとも撮影中心Ｃを通る中心線上にそれぞれ配置されるのが好ましい。このように配置することにより、患者１４の患部を撮影中心Ｃに配置して撮影が行われることが多いため、より確実に第１及び第２平板部３８、４０を通じて前記患者１４の体温を検出することが可能となる。
【００２１】
また、第１及び第２検出部６０、６２を構成するセンサプレート６４、６６を
第１及び第２平板部３８、４０の内部に埋設するようにしてもよい。これにより、ケーシング３６の表面温度をより高精度に検出することが可能となる。
【００２２】
この第１及び第２検出部６０、６２で検出された温度データが、放射線検出カセッテ２４の送受信機５６を通じてコンソール２８へと送信される。
【００２３】
なお、カセッテ制御部５４、送受信機５６及び温度検出部５８には、検出信号として放射線Ｘが照射されることによる損傷を回避するため、ケーシング３６の照射面４４側に鉛板等を配設しておくことが好ましい。
【００２４】
図６は、放射線検出器４８の回路構成ブロック図である。放射線検出器４８は、放射線Ｘを感知して電荷を発生させるアモルファスセレン（ａ−Ｓｅ）等の物質からなる光電変換層６９を行列状の薄膜トランジスタ（ＴＦＴ：Ｔｈｉｎ  Ｆｉｌｍ  Ｔｒａｎｓｉｓｔｏｒ）７０のアレイの上に配置した構造を有し、発生した電荷を蓄積容量７１に蓄積した後、各行毎にＴＦＴ７０を順次オンにして、電荷を画像信号として読み出す。図６では、光電変換層６９及び蓄積容量７１からなる１つの画素６８と１つのＴＦＴ７０との接続関係のみを示し、その他の画素６８の構成については省略している。なお、アモルファスセレンは、高温になると構造が変化して機能が低下してしまうため、所定の温度範囲内で使用する必要がある。従って、放射線検出カセッテ２４内に放射線検出器４８を冷却する手段を配設することが好ましい。
【００２５】
各画素６８に接続されるＴＦＴ７０には、行方向と平行に延びるゲート線７２と、列方向と平行に延びる信号線７４とが接続される。各ゲート線７２は、ライン走査駆動部７６に接続され、各信号線７４は、読取回路を構成するマルチプレクサ８４に接続される。
【００２６】
ゲート線７２には、行方向に配列されたＴＦＴ７０をオンオフ制御する制御信号Ｖｏｎ、Ｖｏｆｆがライン走査駆動部７６から供給される。この場合、ライン走査駆動部７６は、ゲート線７２を切り替える複数のスイッチＳＷ１と、スイッチＳＷ１の１つを選択する選択信号を出力するアドレスデコーダ７８とを備える。アドレスデコーダ７８には、カセッテ制御部５４からアドレス信号が供給される。
【００２７】
また、信号線７４には、列方向に配列されたＴＦＴ７０を介して各画素６８の蓄積容量７１に保持されている電荷が流出する。この電荷は、増幅器８０によって増幅される。増幅器８０には、サンプルホールド回路８２を介してマルチプレクサ８４が接続される。マルチプレクサ８４は、信号線７４を切り替える複数のスイッチＳＷ２と、スイッチＳＷ２の１つを選択する選択信号を出力するアドレスデコーダ８６とを備える。アドレスデコーダ８６には、カセッテ制御部５４からアドレス信号が供給される。マルチプレクサ８４には、Ａ／Ｄ変換器８８が接続され、前記Ａ／Ｄ変換器８８によってデジタル信号に変換された放射線画像情報がカセッテ制御部５４に供給される。
【００２８】
図７は、撮影装置２２、放射線検出カセッテ２４、表示装置２６及びコンソール２８からなる放射線画像撮影システム１０の構成ブロック図である。
【００２９】
撮影装置２２は、撮影スイッチ９０と、放射線Ｘを出力する放射線源９２と、コンソール２８から無線通信により撮影条件を受信する一方、撮影完了信号等を無線通信でコンソール２８に対して送信する送受信機９４と、撮影スイッチ９０から供給される撮影開始信号及び送受信機９４から供給される撮影条件に基づいて放射線源９２を制御する線源制御部９６とを備える。
【００３０】
放射線検出カセッテ２４には、放射線検出器４８、バッテリ５２、カセッテ制御部５４、送受信機５６及び温度検出部５８が収容される。
【００３１】
カセッテ制御部５４は、放射線検出器４８を構成するライン走査駆動部７６のアドレスデコーダ７８及びマルチプレクサ８４のアドレスデコーダ８６に対してアドレス信号を供給するアドレス信号発生部９８と、放射線検出器４８によって検出された放射線画像情報を記憶する画像メモリ１００と、該放射線検出カセッテ２４を特定するためのカセッテＩＤ情報を記憶するカセッテＩＤメモリ１０２とを備える。
【００３２】
送受信機５６は、コンソール２８から無線通信により送信要求信号を受信する一方、前記コンソール２８に対して、カセッテＩＤメモリ１０２に記憶されたカセッテＩＤ情報、画像メモリ１００に記憶された放射線画像情報、温度検出部５８の検出結果に基づいた検出信号を無線通信により送信する。
【００３３】
表示装置２６は、コンソール２８から放射線画像情報を受信する受信機１０４と、受信した放射線画像情報の表示制御を行う表示制御部１０６と、前記表示制御部１０６によって処理された放射線画像情報を表示する表示部（警告手段）１０８とを備える。
【００３４】
コンソール２８は、撮影装置２２、放射線検出カセッテ２４及び表示装置２６に対して、放射線画像情報、位置情報等を含む必要な情報を無線通信により送受信する送受信機１１０と、撮影装置２２による撮影に必要な撮影条件を管理する撮影条件管理部１１２と、放射線検出カセッテ２４から送信された放射線画像情報に対する画像処理を行う画像処理部１１４と、処理した放射線画像情報を記憶する画像メモリ１１６と、撮影対象である患者１４の患者情報を管理する患者情報管理部１１８と、放射線検出カセッテ２４から送信されたカセッテ情報を管理するカセッテ情報管理部１２０と、温度検出部５８の検出結果に基づいて放射線検出カセッテ２４の設置状態を判定する状態判定部（判定手段）１２２とを備える。
【００３５】
なお、コンソール２８は、撮影装置２２、放射線検出カセッテ２４及び表示装置２６に対して無線通信による信号の送受信を行うことができるのであれば、手術室１２の外に設置してもよい。
【００３６】
本実施の形態の放射線検出カセッテ２４が用いられた放射線画像撮影システム１０は、基本的には以上のように構成されるものであり、次にその動作について説明する。
【００３７】
放射線画像撮影システム１０は、手術室１２に設置されており、例えば、医師１８による患者１４の手術中において、放射線画像の撮影が必要となった際に使用される。そのため、撮影対象である患者１４の患者情報は、撮影に先立ち、コンソール２８の患者情報管理部１１８に予め登録される。また、撮影部位や撮影方法が予め決まっている場合には、これらの撮影条件を撮影条件管理部１１２に予め登録しておく。以上の準備作業が終了した状態において、患者１４に対する手術が遂行される。
【００３８】
手術中において放射線画像の撮影を行う場合、医師１８又は担当する放射線技師は、患者１４と手術台１６との間の所定位置に、ケーシング３６の第１平板部３８が撮影装置２２及び患者１４側（矢印Ａ方向）、第２平板部４０が手術台１６側（矢印Ｂ方向）となるように放射線検出カセッテ２４を設置する（図５参照）。
【００３９】
この際、第１平板部３８は患者１４に接触しているため、該患者１４の体温によって前記第１平板部３８が加温されて温度が徐々に上昇していき、一方、第２平板部４０は、手術台１６に当接しているため温度上昇することがなく、ほぼ一定の温度で維持される。
【００４０】
そして、第１平板部３８の温度が、複数のセンサプレート６４を含む第１検出部６０によって検出されると共に、第２平板部４０の温度が、複数のセンサプレート６６を含む第２検出部６２によって検出され、その検出結果が検出信号として送受信機５６へと出力された後、コンソール２８の送受信機１１０を通じて状態判定部１２２に入力される。この場合、センサプレート６４、６６は、第１及び第２平板部３８、４０において所定間隔離間して複数設けられているため、ケーシング３６に対する患者１４の接触部位に関わらず、確実に温度検出を行うことが可能となる。
【００４１】
状態判定部１２２では、その検出信号に基づいて第１検出部６０で検出された温度（Ｔ１）と、第２検出部６２で検出された温度（Ｔ２）とを比較し、照射面４４を有する第１平板部３８の温度を検出する第１検出部６０の温度（Ｔ１）が、前記照射面４４とは反対側となる第２平板部４０の温度を検出した第２検出部６２の温度（Ｔ２）より高いため（Ｔ１＞Ｔ２）、前記照射面４４を有する第１平板部３８が患者１４及び撮影装置２２側に対峙していると判定される（図５参照）。すなわち、放射線検出カセッテ２４の照射面４４が、撮影装置２２側（矢印Ａ方向）となるように所定の向きで設置されていることが確認される。
【００４２】
このように、放射線検出カセッテ２４が患者１４と手術台１６との間に正確に設置されていることが確認された後、撮影装置２２を放射線検出カセッテ２４に対向する位置に移動させ、撮影スイッチ９０を操作して撮影を行う。
【００４３】
一方、何らかの理由で照射面４４を有する第１平板部３８が手術台１６側（矢印Ｂ方向）となるように誤って設置された場合には、第２平板部４０が撮影装置２２及び患者１４側（矢印Ａ方向）となるように配置されているため、該第２平板部４０の温度（Ｔ２）が前記患者１４の体温によって上昇すると共に、第１平板部３８は手術台１６に当接しているため、その温度（Ｔ１）が上昇することなく、ほぼ一定の温度で維持される。
【００４４】
そして、第１及び第２平板部３８、４０の温度が、第１及び第２検出部６０、６２によってそれぞれ検出され、その検出結果が検出信号として送受信機５６、１１０を通じて状態判定部１２２に入力される。この状態判定部１２２において、第１検出部６０で検出された温度（Ｔ１）と、第２検出部６２で検出された温度（Ｔ２）とが比較され、前記第１検出部６０の温度（Ｔ１）が、第２検出部６２の温度（Ｔ２）より低いため（Ｔ１＜Ｔ２）、照射面４４を有する第１平板部３８が患者１４及び撮影装置２２側（矢印Ａ方向）に対峙せず、第２平板部４０が誤って患者１４及び撮影装置２２側（矢印Ａ方向）に対峙していると判定される。すなわち、放射線検出カセッテ２４の照射面４４が、撮影装置２２側（矢印Ａ方向）となるように設置されておらず、手術台１６側（矢印Ｂ方向）となるように設置されていることが確認される。
【００４５】
この場合には、撮影装置２２からの放射線Ｘが、患者１４の患部及び放射線検出カセッテ２４の放射線検出器４８に対して照射されることがなく、所望の放射線画像の撮影が行われないおそれがあるとして、前記状態判定部１２２から送受信機９４を介して出力信号が表示装置２６へと出力される。それに伴って、放射線検出カセッテ２４の照射面４４が撮影装置２２側（矢印Ａ方向）に臨むように所定の向きで設置されていないことを警告として、前記コンソール２８、表示装置２６等に表示させる。なお、放射線検出カセッテ２４が誤った向きで設置された場合に警告表示を行うだけでなく、状態判定部１２２からの出力信号に基づいてコンソール２８から撮影装置２２の線源制御部９６へと制御信号を出力し、前記撮影装置２２による撮影作業を禁止するようにしてもよい。
【００４６】
また、照射面４４が撮影装置２２側（矢印Ａ方向）となるように放射線検出カセッテ２４が正しい向きで設置されている場合には、例えば、表示装置２６に撮影許可を示す表示を表示させてもよい。
【００４７】
さらに、放射線検出カセッテ２４の側面に表示部（図示せず）を設け、該表示部に対してこれらの表示を表示させるようにしてもよい。
【００４８】
このように、コンソール２８、表示装置２６等に表示された警告を確認した後、放射線検出カセッテ２４を患者１４と手術台１６との間の所定位置から一旦取り出し、照射面４４が撮影装置２２側（矢印Ａ方向）となるように向きを変更して前記所定位置に対して再度設置する。
【００４９】
上述したように、放射線検出カセッテ２４が所定位置において、その照射面４４が撮影装置２２側（矢印Ａ方向）となるように設置されていることが確認された後、撮影スイッチ９０を操作して撮影を行う。これにより、撮影装置２２の線源制御部９６は、送受信機９４、１１０を介して、コンソール２８の撮影条件管理部１１２より患者１４の撮影部位に係る撮影条件を無線通信により取得し、取得した撮影条件に従って放射線源９２を制御することにより、所定の線量からなる放射線Ｘを患者１４に照射する。
【００５０】
患者１４を透過した放射線Ｘは、放射線検出カセッテ２４のグリッド４６によって散乱線が除去された後、放射線検出器４８に照射され、放射線検出器４８を構成する各画素６８の光電変換層６９によって電気信号に変換され、蓄積容量７１に電荷として保持される（図６参照）。次いで、各蓄積容量７１に保持された患者１４の放射線画像情報である電荷情報は、カセッテ制御部５４を構成するアドレス信号発生部９８からライン走査駆動部７６及びマルチプレクサ８４に供給されるアドレス信号に従って読み出される。
【００５１】
すなわち、ライン走査駆動部７６のアドレスデコーダ７８は、アドレス信号発生部９８から供給されるアドレス信号に従って選択信号を出力してスイッチＳＷ１の１つを選択し、対応するゲート線７２に接続されたＴＦＴ７０のゲートに制御信号Ｖｏｎを供給する。一方、マルチプレクサ８４のアドレスデコーダ８６は、アドレス信号発生部９８から供給されるアドレス信号に従って選択信号を出力してスイッチＳＷ２を順次切り替え、ライン走査駆動部７６によって選択されたゲート線７２に接続された各画素６８の蓄積容量７１に保持された電荷情報である放射線画像情報を信号線７４を介して読み出す。
【００５２】
各放射線検出器４８の選択されたゲート線７２に接続された各画素６８の蓄積容量７１から読み出された放射線画像情報は、各増幅器８０によって増幅された後、サンプルホールド回路８２によってサンプリングされ、マルチプレクサ８４を介してＡ／Ｄ変換器８８に供給され、デジタル信号に変換される。デジタル信号に変換された放射線画像情報は、カセッテ制御部５４の画像メモリ１００に一旦記憶された後、送受信機５６を介して、無線通信によりコンソール２８に送信される。
【００５３】
同様にして、ライン走査駆動部７６のアドレスデコーダ７８は、アドレス信号発生部９８から供給されるアドレス信号に従ってスイッチＳＷ１を順次切り替え、各ゲート線７２に接続されている各画素６８の蓄積容量７１に保持された電荷情報である放射線画像情報を信号線７４を介して読み出し、マルチプレクサ８４及びＡ／Ｄ変換器８８を介してカセッテ制御部５４の画像メモリ１００に記憶させる。
【００５４】
コンソール２８に送信された放射線画像情報は、送受信機１１０によって受信され、画像処理部１１４において所定の画像処理が施された後、患者情報管理部１１８に登録されている患者１４の患者情報と関連付けられた状態で画像メモリ１１６に記憶される。
【００５５】
また、画像処理の施された放射線画像情報は、送受信機１１０から表示装置２６に送信される。受信機１０４によって放射線画像情報を受信した表示装置２６は、表示制御部１０６によって表示部１０８を制御し、放射線画像を表示する。医師１８は、表示部１０８に表示された放射線画像を確認しながら手術を遂行する。
【００５６】
この場合、放射線検出カセッテ２４とコンソール２８との間、撮影装置２２とコンソール２８との間、及び、コンソール２８と表示装置２６との間には、信号を送受信するためのケーブルが連結されていないため、例えば、手術室１２の床面にこれらのケーブルが配設されることがなく、医師１８等の作業に支障を来すおそれがない。
【００５７】
なお、上述した本実施の形態では、温度検出部５８を構成する第１及び第２検出部６０、６２を設け、ケーシング３６における第１及び第２平板部３８、４０の温度をそれぞれ検出可能な構成としているが、これに限定されるものではなく、例えば、前記第１及び第２検出部６０、６２のいずれか一方のみを設けるようにしてもよい。この場合には、患者１４がケーシング３６の第１平板部３８又は第２平板部４０に接触した際に上昇する温度を予め設定しておき、前記第１検出部６０又は第２検出部６２のいずれか一方で検出された温度が、予め設定された設定温度に到達したか否かを状態判定部１２２で比較判断する。これにより、第１検出部６０又は第２検出部６２が設けられた第１平板部３８又は第２平板部４０のいずれかが、患者１４及び撮影装置２２側となるように設置されているか否かを確認することができる。
【００５８】
以上のように、本実施の形態では、放射線検出カセッテ２４を構成するケーシング３６には、撮影装置２２に臨む第１平板部３８と、患者１４が臥位する手術台１６に臨む第２平板部４０とを備え、前記第１及び第２平板部３８、４０にそれぞれ設けられた第１及び第２検出部６０、６２によって温度を検出し、その検出された温度を比較することによって該第１及び第２平板部３８、４０のいずれか一方が患者１４側に配置されていることを確認できる。そして、第１及び第２検出部６０、６２の検出結果に基づいてケーシング３６における第１及び第２平板部３８、４０のいずれの面が撮影装置２２側となるように配置されているか事前に察知することができる。従って、この検出結果から放射線検出カセッテ２４の照射面４４が撮影装置２２側となるように確実に配置することができ、それに伴って、誤撮影が防止されるため撮影作業を効率的に行うことができる。
【００５９】
また、上述した本実施の形態では、手術台１６に患者１４が臥位し、該患者１４と手術台１６との間に放射線検出カセッテ２４が設置されて撮影が行われる放射線画像撮影システム１０について説明したが、これに限定されるものではなく、例えば、患者１４が撮影装置に臨むように立位し、水平方向に照射される放射線Ｘによって撮影が行われる放射線画像撮影システムに放射線検出カセッテ２４を用いるようにしてもよい。
【００６０】
なお、本発明は、上述した実施形態に限定されるものではなく、本発明の主旨を逸脱しない範囲で自由に変更できることは勿論である。
【図面の簡単な説明】
【００６１】
【図１】本実施の形態に係る放射線画像撮影システムの設置された手術室の説明図である。
【図２】放射線検出カセッテの内部構成斜視図である。
【図３】図２に示す放射線検出カセッテの平面図である。
【図４】図２に示す放射線検出カセッテの縦断面図である。
【図５】図１の手術室における患者及び放射線検出カセッテ近傍を示す拡大側面図である。
【図６】放射線検出器の回路構成ブロック図である。
【図７】放射線画像撮影システムの構成ブロック図である。
【符号の説明】
【００６２】
１０…放射線画像撮影システム        １２…手術室
１４…患者                          １６…手術台
２２…撮影装置                      ２４…放射線検出カセッテ
２６…表示装置                      ２８…コンソール
３６…ケーシング                    ３８…第１平板部
４０…第２平板部                    ４４…照射面
４８…放射線検出器                  ５６、９４、１１０…送受信機
５８…温度検出部                    ６０…第１検出部
６２…第２検出部                    ６４、６６…センサプレート
９２…放射線源                      １２２…状態判定部
【図１】
2009028332.tif 000003
【図２】
2009028332.tif 000004
【図３】
2009028332.tif 000005
【図４】
2009028332.tif 000006
【図５】
2009028332.tif 000007
【図６】
2009028332.tif 000008
【図７】
2009028332.tif 000009